(57)【要約】【課題】歯茎や歯牙への適合度を高めて適切な歯磨きを可能とし、コスト面や加工面にも優れたマウスピース型歯ブラシ及びマウスピース型歯ブラシの製造方法を提供する。【解決手段】上顎の歯列を装着する上顎用ピース及び下顎の歯列を装着する下顎用ピースの少なくとも１つからなるマウスピース型歯ブラシ１０であって、上顎用ピース及び下顎用ピースの少なくとも１つはブラシ部材４を固定した軟質シート３により、ブラシ部材４が歯牙６全体を包み込んで密着するように形成されている。【選択図】図５
2019122726.tif 000002
【特許請求の範囲】
【請求項１】
上顎の歯列を装着する上顎用ピース及び下顎の歯列を装着する下顎用ピースの少なくとも１つからなるマウスピース型歯ブラシであって、
前記上顎用ピース及び前記下顎用ピースの少なくとも１つはブラシ部材を固定した軟質シートにより、前記ブラシ部材が歯牙全体を包み込んで密着するように形成されていることを特徴とするマウスピース型歯ブラシ。
【請求項２】
上顎用ピース及び下顎用ピースからなり、前記上顎用ピースと前記下顎用ピースとを連結する連結部が設けられていることを特徴とする請求項１に記載のマウスピース型歯ブラシ。
【請求項３】
上顎用ピース又は下顎用ピースからなり、取り外し用の把持部が設けられていることを特徴とする請求項１に記載のマウスピース型歯ブラシ。
【請求項４】
上顎の歯列を装着する上顎用ピース及び下顎の歯列を装着する下顎用ピースの少なくとも１つからなるマウスピース型歯ブラシの製造方法であって、
上顎の歯列及び下顎の歯列の少なくとも１つの印象を採取して上顎用歯型及び下顎用歯型の少なくとも１つを作成する工程と、
前記作成した上顎用歯型及び下顎用歯型の少なくとも１つに、ブラシ部材を略馬蹄形に固定した軟質シートを圧接して、前記ブラシ部材が歯牙全体を包み込んで密着するように前記上顎用ピース及び前記下顎用ピースの少なくとも１つを形成する工程とを有することを特徴とするマウスピース型歯ブラシの製造方法。
【発明の詳細な説明】
【技術分野】
【０００１】
本発明は、口の中に入れて使用するマウスピース型歯ブラシに関するものである。
【背景技術】
【０００２】
従来の歯ブラシは、手で握るための柄の先に設けたブラシ台にブラシを植毛したものであり、ブラシを歯に当てて柄を動かしながら磨いていた。しかしながら、適切な歯磨きのためには正しいブラッシングをしなければならないが、疎かになりがちであった。また、高齢者や手の不自由な人にとっては、正しいブラッシングが困難であるという問題があった。
【０００３】
これに対して、口の中に入れて噛むことで歯を磨くようにした、噛む歯ブラシが提案されている。例えば、特許文献１には、上顎の歯並びおよび下顎の歯並びに倣ってマウスピース状に湾曲したブラシ部を有するブラシ台と、ブラシ部に植毛されたブラシの毛と、ブラシ台に取り付けた把持具とを有し、該ブラシ台の湾曲度が上下の歯並びの湾曲度に合わせて調整自在に形成されているマウスピース状の噛む歯ブラシに関する発明が記載されている。
【０００４】
また、特許文献２には、柔軟性を有する合成樹脂製弾性本体の外周にブラシを形成した噛む歯ブラシに関する発明が記載されている。
【先行技術文献】
【特許文献】
【０００５】
【特許文献１】特開２００５−３３４１０４号公報
【特許文献２】特開２００７−１３０１１７号公報
【発明の概要】
【発明が解決しようとする課題】
【０００６】
しかしながら、特許文献１及び特許文献２に記載された噛む歯ブラシは、各々の使用者の歯茎や歯牙への適合度が不十分であると、適切な歯磨きができないことが考えられる。この点について特許文献１に記載された噛む歯ブラシでは、ブラシ台の湾曲度が上下の歯並びの湾曲度に合わせて調整自在になっているが、歯列全体の適合については不十分となることが考えられる。特に、使用者によっては、歯列不正があったり、歯根が長かったりといった特徴があるため、各々の使用者に適合させるのは容易でない。
【０００７】
また、各々の使用者に適合させるためには、コスト面や加工面等で製造方法に工夫の余地がある。
【０００８】
本発明は、上記従来の課題を解決するものであり、歯茎や歯牙への適合度を高めて適切な歯磨きを可能とし、コスト面や加工面にも優れたマウスピース型歯ブラシ及びマウスピース型歯ブラシの製造方法を提供するものである。
【課題を解決するための手段】
【０００９】
上記課題を解決するため、本発明のマウスピース型歯ブラシは、上顎の歯列を装着する上顎用ピース及び下顎の歯列を装着する下顎用ピースの少なくとも１つからなるマウスピース型歯ブラシであって、前記上顎用ピース及び前記下顎用ピースの少なくとも１つはブラシ部材を固定した軟質シートにより、前記ブラシ部材が歯牙全体を包み込んで密着するように形成されていることを特徴とする。
【００１０】
また好ましくは、上顎用ピース及び下顎用ピースからなり、前記上顎用ピースと前記下顎用ピースとを連結する連結部が設けられていることを特徴とする。
【００１１】
また好ましくは、上顎用ピース又は下顎用ピースからなり、取り外し用の把持部が設けられていることを特徴とする。
【００１２】
また、本発明のマウスピース型歯ブラシの製造方法は、上顎の歯列を装着する上顎用ピース及び下顎の歯列を装着する下顎用ピースの少なくとも１つからなるマウスピース型歯ブラシの製造方法であって、上顎の歯列及び下顎の歯列の少なくとも１つの印象を採取して上顎用歯型及び下顎用歯型の少なくとも１つを作成する工程と、前記作成した上顎用歯型及び下顎用歯型の少なくとも１つに、ブラシ部材を略馬蹄形に固定した軟質シートを圧接して、前記ブラシ部材が歯牙全体を包み込んで密着するように前記上顎用ピース及び前記下顎用ピースの少なくとも１つを形成する工程とを有することを特徴とする。
【発明の効果】
【００１３】
本発明のマウスピース型歯ブラシは、上顎の歯列を装着する上顎用ピース及び下顎の歯列を装着する下顎用ピースの少なくとも１つからなるマウスピース型歯ブラシであって、上顎用ピース及び下顎用ピースの少なくとも１つはブラシ部材を固定した軟質シートにより、ブラシ部材が歯牙全体を包み込んで密着するように形成されているので、使用者の歯茎や歯牙への適合度を高めることができる。従って、歯の表面、歯と歯茎の間の歯周ポケット、歯間、歯茎等を漏れなく清掃し、適切な歯磨きを行うことができる。
【００１４】
また、上顎用ピース及び下顎用ピースからなり、上顎用ピースと下顎用ピースとを連結する連結部が設けられている場合には、上顎用ピース及び下顎用ピースの両方を使用して、上顎の歯列及び下顎の歯列を同時に清掃することができる。
【００１５】
また、上顎用ピース又は下顎用ピースからなり、取り外し用の把持部が設けられている場合には、清掃したい方の歯列のみを清掃することができるとともに、把持部を持って容易に取り外すことができる。
【００１６】
また、本発明のマウスピース型歯ブラシの製造方法は、上顎の歯列を装着する上顎用ピース及び下顎の歯列を装着する下顎用ピースの少なくとも１つからなるマウスピース型歯ブラシの製造方法であって、上顎の歯列及び下顎の歯列の少なくとも１つの印象を採取して上顎用歯型及び下顎用歯型の少なくとも１つを作成する工程と、作成した上顎用歯型及び下顎用歯型の少なくとも１つに、ブラシ部材を略馬蹄形に固定した軟質シートを圧接して、ブラシ部材が歯牙全体を包み込んで密着するように上顎用ピース及び下顎用ピースの少なくとも１つを形成する工程とを有しているので、使用者の歯列の形状を確実に反映させて、使用者の歯茎や歯牙への適合度を高めることができる。また、圧接前の軟質シートには、予めブラシ部材が略馬蹄形に固定されているので、ブラシ部材を歯列に容易に対応させることができる。従って、コスト面や加工面に優れている。
【００１７】
このように、本発明によれば、使用者の歯茎や歯牙への適合度を高めて適切な歯磨きを可能とし、コスト面や加工面にも優れたマウスピース型歯ブラシ及びマウスピース型歯ブラシの製造方法を提供することができる。
【図面の簡単な説明】
【００１８】
【図１】本発明の実施形態１に係るマウスピース型歯ブラシを示す正面図である。
【図２】マウスピース型歯ブラシを示す側面図である。
【図３】マウスピース型歯ブラシを示す平面図である。
【図４】マウスピース型歯ブラシを示す底面図である。
【図５】マウスピース型歯ブラシに歯列を装着した状態を示す断面図である。
【図６】ブラシ部材を固定した軟質シートを示す図であり、（Ａ）は平面図、（Ｂ）は（Ａ）のａ−ａ断面図である。
【図７】ブラシ部材を固定した軟質シートを示す拡大断面図である。
【図８】歯型への軟質シートの圧接の説明図（圧接前）である。
【図９】歯型への軟質シートの圧接の説明図（圧接後）である。
【図１０】本発明の実施形態２に係るマウスピース型歯ブラシを示す平面図である。
【発明を実施するための形態】
【００１９】
次に、図１乃至図９を参照して、本発明の実施形態１に係るマウスピース型歯ブラシ及びマウスピース型歯ブラシの製造方法について説明する。まず、実施形態１に係るマウスピース型歯ブラシ１０の構成について説明する。図１乃至図４はそれぞれ、実施形態１に係るマウスピース型歯ブラシ１０を示す正面図、側面図、平面図、底面図である。
【００２０】
マウスピース型歯ブラシ１０は、上顎の歯列を装着する上顎用ピース１１と、下顎の歯列を装着する下顎用ピース１２と、連結部１３とから構成されている。上顎用ピース１１、下顎用ピース１２は、それぞれ軟質シート３により形成されている。軟質シート３の材料としては、例えばＥＶＡ（エチレン酢酸ビニル共重合樹脂）、ポリオレフィン、ポリウレタン等を用いることができる。連結部１３も、上顎用ピース１１及び下顎用ピース１２と同様の材料を用いることもできるが、特に限定されない。
【００２１】
上顎用ピース１１及び下顎用ピース１２は、歯列に合わせて平面視略馬蹄形状に形成されているとともに、上顎用ピース１１が下顎用ピース１２の上に、後方から前方に向けて徐々に離間するように配置されている。これにより、マウスピース型歯ブラシ１０を装着したときに、上顎の歯列と下顎の歯列との間に隙間が発生するようになっている。
【００２２】
一方、連結部１３は、上顎用ピース１１及び下顎用ピース１２の正面部分を連結するように配置されている。
【００２３】
図３に示すように、上顎用ピース１１の上面（上顎の歯列側）には、ブラシ部材４が固定されている。同様に、図４に示すように、下顎用ピース１２の下面（下顎の歯列側）には、ブラシ部材４が固定されている。ブラシ部材４の材料については後述する。
【００２４】
図５は、マウスピース型歯ブラシ１０に歯列を装着した状態を示す断面図である。図５に示すように、マウスピース型歯ブラシ１０に歯列を装着した状態で、ブラシ部材４は、歯牙６全体を包み込んで密着するとともに、歯牙６の表面に対して略垂直に接するように形成されている。そして、ブラシ部材４の幅方向（図５の左右方向）の両端部が歯茎５に接している。また、軟質シート５の両端部と歯茎５との間には、歯肉を傷めないように少しスペースが設けられている。
【００２５】
図６は、本実施形態で使用するブラシ部材４を固定した軟質シート３を示す図であり、（Ａ）は平面図、（Ｂ）は（Ａ）のａ−ａ断面図である。
【００２６】
軟質シート３は、厚さ約３ミリの円盤状のシートであって、片面のほぼ中央部分にブラシ部材４が略馬蹄形に固定されている。略馬蹄形としたのは、上顎の歯列及び下顎の歯列に沿った形状とするためである。ブラシ部材４の長さ（軟質シート３の表面からの高さ）は約２ミリである。また、ブラシ部材４の固定エリアの幅は、歯牙全体を十分に包み込むことができるような幅が確保されている。なお、歯列の大きさや形状には個人差があるため、ブラシ部材４の配置の異なる複数の軟質シート３を用意しておいて、使用者の歯列に合わせて用いる軟質シート３を選択することもできる。
【００２７】
図７は、ブラシ部材４を固定した軟質シート３を示す拡大断面図である。ブラシ部材４の材料としては、耐熱性ＥＶＡ、ウレタン、ナイロン、シリコン、ゴム等を用いることができる。後述する軟質シート３を圧接する工程においては、例えばＥＶＡシートであれば６０°〜７０°で軟化させることになるため、ブラシ部材４は軟質シート３の軟化温度において変形しない耐熱性の材料を用いる必要がある。
【００２８】
ブラシ部材４の形状としては、図７（Ａ）に示すような細長い毛先状のブラシ部材４ａを軟質シート３に間隔を空けて埋め込んだもの、図７（Ｂ）に示すような細長い毛先状のブラシ部材４ｂを軟質シート３に間隔を空けずに埋め込んだもの、図７（Ｃ）に示すような平板状（例えばスポンジ状）のブラシ部材４ｃを軟質シート３の表面に固定したもの等とすることができる。また、ブラシ部材４を軟質シート３に固定する方法としては、軟質シート３の製造時に同時にブラシ部材４の埋め込み加工を行う方法や、既存の軟質シート３に後からブラシ部材４を埋め込んだり、貼り付けたりする方法も可能である。
【００２９】
次に、実施形態１に係るマウスピース型歯ブラシ１０の製造方法について説明する。図８は歯型への軟質シート３の圧接の説明図（圧接前）であり、図９は歯型への軟質シートの圧接の説明図（圧接後）である。マウスピース型歯ブラシ１０の製造にあたっては、まず、図８に示すような、上顎の歯列及び下顎の歯列の印象を採取して、石膏により上顎用歯型１及び下顎用歯型２を作成する。
【００３０】
次に、図８及び図９に示すように、作成した上顎用歯型１及び下顎用歯型２に、それぞれブラシ部材４を固定した軟質シート３，３を、ブラシ部材４が歯型を向くように圧接して、軟質シート３，３を軟化させながら、ブラシ部材４が歯牙全体を包み込んで密着するように、上顎用ピース１１及び下顎用ピース１２を成形する。軟質シート３，３の圧接にあたっては、マウスピース等の製造に用いられる公知の加圧成形機を用いる。
【００３１】
次に、成形した上顎用ピース１１及び下顎用ピース１２を患者の上下の歯列の配置に合わせて、連結部１３により連結する。このとき、マウスピース型歯ブラシ１０の装着時に上顎の歯列と下顎の歯列との間に隙間が発生するような配置にすることで、使用時に噛みやすくすることができる。
【００３２】
マウスピース型歯ブラシ１０の使用にあたっては、上顎用ピース１１及び下顎用ピース１２の内側（ブラシ部４）に歯磨剤（ムース状、ペースト状、薬液等）を入れて、上顎の歯列及び下顎の歯列を装着する。そして、噛んだり、前後左右に動かしたりして使用する。なお、別途電動機構を設けて電動型にすることもできる。
【００３３】
実施形態１に係るマウスピース型歯ブラシ１０は、上顎の歯列を装着する上顎用ピース１１及び下顎の歯列を装着する下顎用ピース１２からなるマウスピース型歯ブラシ１０であって、上顎用ピース１１及び下顎用ピース１２はブラシ部材４を固定した軟質シート３により、ブラシ部材４が歯牙６全体を包み込んで密着するように形成されているので、使用者の歯茎５や歯牙６への適合度を高めることができる。従って、歯の表面、歯と歯茎の間の歯周ポケット、歯間、歯茎等を漏れなく清掃し、適切な歯磨きを行うことができる。
【００３４】
また、上顎用ピース１１及び下顎用ピース１２からなり、上顎用ピース１１と下顎用ピース１２とを連結する連結部１３が設けられているので、上顎用ピース１１及び下顎用ピース１２の両方を使用して、上顎の歯列及び下顎の歯列を同時に清掃することができる。
【００３５】
また、実施形態１に係るマウスピース型歯ブラシ１０の製造方法は、上顎の歯列を装着する上顎用ピース１１及び下顎の歯列を装着する下顎用ピース１２からなるマウスピース型歯ブラシ１０の製造方法であって、上顎の歯列及び下顎の歯列の印象を採取して上顎用歯型１及び下顎用歯型２を作成する工程と、作成した上顎用歯型１及び下顎用歯型２に、ブラシ部材４を略馬蹄形に固定した軟質シート３を圧接して、ブラシ部材４が歯牙６全体を包み込んで密着するように上顎用ピース１１及び下顎用ピース１２を形成する工程とを有しているので、使用者の歯列の形状を確実に反映させて、使用者の歯茎５や歯牙６への適合度を高めることができる。また、圧接前の軟質シート３には、予めブラシ部材４が略馬蹄形に固定されているので、ブラシ部材４を歯列に容易に対応させることができる。従って、コスト面や加工面に優れている。
【００３６】
次に、図１０を参照して、本発明の実施形態２に係るマウスピース型歯ブラシ及びマウスピース型歯ブラシの製造方法について説明する。図１０は、実施形態２に係るマウスピース型歯ブラシ２０を示す平面図である。マウスピース型歯ブラシ２０は、実施形態１に係るマウスピース型歯ブラシ１０の上顎用ピース１１及び下顎用ピース１２のうち、いずれか１つのみからなるものである。マウスピース型歯ブラシ２０の上顎用ピース（又は下顎用ピース）２１の構造、材料、製造方法は、実施形態１と同様である。ただし、マウスピース型歯ブラシ２０の左右には、取り外し用の把持部２２，２２が設けられている。
【００３７】
マウスピース型歯ブラシ２０の使用にあたっては、上顎用ピース（又は下顎用ピース）２１の内側（ブラシ部４）に歯磨剤（ムース状、ペースト状、薬液等）を入れて、上顎の歯列（又は下顎の歯列）を装着する。そして、手指を使って前後左右に動かして使用する。
【００３８】
実施形態２に係るマウスピース型歯ブラシ２０は、上顎用ピース（又は下顎用ピース）２１からなり、取り外し用の把持部２２が設けられているので、清掃したい方の歯列のみを清掃することができるとともに、把持部２２を持って容易に取り外すことができる。
【００３９】
このように、本発明の実施形態に係るマウスピース型歯ブラシによれば、使用者の歯茎や歯牙への適合度を高めて適切な歯磨きを可能とし、コスト面や加工面にも優れたマウスピース型歯ブラシ及びマウスピース型歯ブラシの製造方法を提供することができる。
【００４０】
以上、本発明の実施形態に係るマウスピース型歯ブラシについて説明したが、本発明は上記実施形態に限定されるものではなく、種々の変更が可能である。
【００４１】
例えば、上顎用ピースと下顎用ピースとを連結する連結部の配置は正面部分でなくてもよく、上顎用ピースと下顎用ピースとを両端部分（奥歯側）の２箇所で連結するようにしてもよい。
【００４２】
また、上顎用ピース（又は下顎用ピース）の取り外し用の把持部は別の位置に配置してもよいし、把持部を設けなくてもよい。
【００４３】
また、上顎用ピース（又は下顎用ピース）として、残存している歯のみを対象とした部分型のものを形成してもよい。
【符号の説明】
【００４４】
１  上顎用歯型
２  下顎用歯型
３  軟質シート
４  ブラシ部材
５  歯茎
６  歯牙
１０  マウスピース型歯ブラシ
１１  上顎用ピース
１２  下顎用ピース
１３  連結部
２０  マウスピース型歯ブラシ
２１  上顎用ピース
２２  把持部
【図１】
2019122726.tif 000003
【図２】
2019122726.tif 000004
【図３】
2019122726.tif 000005
【図４】
2019122726.tif 000006
【図５】
2019122726.tif 000007
【図６】
2019122726.tif 000008
【図７】
2019122726.tif 000009
【図８】
2019122726.tif 000010
【図９】
2019122726.tif 000011
【図１０】
2019122726.tif 000012
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
上顎の歯列を装着する上顎用ピース及び下顎の歯列を装着する下顎用ピースからなるマウスピース型歯ブラシであって、
前記上顎用ピース及び前記下顎用ピースはブラシ部材を固定した軟質シートにより、前記ブラシ部材が歯牙全体を包み込んで密着するように形成されており、
前記上顎用ピースと前記下顎用ピースとを連結する連結部が設けられており、
前記上顎用ピースが前記下顎用ピースの上に、後方から前方に向けて徐々に離間するように配置されて、装着したときに上顎の歯列と下顎の歯列との間に隙間が発生するようになっていることを特徴とするマウスピース型歯ブラシ。
【請求項２】
上顎の歯列を装着する上顎用ピース及び下顎の歯列を装着する下顎用ピースからなるマウスピース型歯ブラシの製造方法であって、
上顎の歯列及び下顎の歯列の印象を採取して上顎用歯型及び下顎用歯型を作成する工程と、
前記作成した上顎用歯型及び下顎用歯型に、ブラシ部材を略馬蹄形に固定した軟質シートを圧接して、前記ブラシ部材が歯牙全体を包み込んで密着するように前記上顎用ピース及び前記下顎用ピースを形成する工程と、
前記上顎用ピース及び前記下顎用ピースを連結部により連結して、装着時に上顎の歯列と下顎の歯列との間に隙間が発生するような配置にする工程とを有することを特徴とするマウスピース型歯ブラシの製造方法。
【請求項３】
上顎の歯列を装着する上顎用ピース及び下顎の歯列を装着する下顎用ピースの少なくとも１つからなるマウスピース型歯ブラシの製造方法であって、
上顎の歯列及び下顎の歯列の少なくとも１つの印象を採取して上顎用歯型及び下顎用歯型の少なくとも１つを作成する工程と、
ブラシ部材を略馬蹄形に固定した軟質シートであって、ブラシ部材の配置の異なる複数の軟質シートを用意しておいて、使用者の歯列に合わせて用いる軟質シートを選択する工程と、
前記作成した上顎用歯型及び下顎用歯型の少なくとも１つに、前記選択した軟質シートを圧接して、前記ブラシ部材が歯牙全体を包み込んで密着するように前記上顎用ピース及び前記下顎用ピースの少なくとも１つを形成する工程とを有することを特徴とするマウスピース型歯ブラシの製造方法。
【請求項４】
上顎の歯列を装着する上顎用ピース及び下顎の歯列を装着する下顎用ピースの少なくとも１つからなるマウスピース型歯ブラシの製造方法であって、
上顎の歯列及び下顎の歯列の少なくとも１つの印象を採取して上顎用歯型及び下顎用歯型の少なくとも１つを作成する工程と、
前記作成した上顎用歯型及び下顎用歯型の少なくとも１つに、ブラシ部材を略馬蹄形に固定した軟質シートを圧接して、前記ブラシ部材が歯牙全体を包み込んで密着するように前記上顎用ピース及び前記下顎用ピースの少なくとも１つを形成する工程とを有し、
前記ブラシ部材の材料として前記軟質シートの軟化温度において変形しない耐熱性の材料を用いることを特徴とするマウスピース型歯ブラシの製造方法。
【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
上顎の歯列を装着する上顎用ピース及び下顎の歯列を装着する下顎用ピースからなるマウスピース型歯ブラシであって、
前記上顎用ピース及び前記下顎用ピースはブラシ部材を固定した軟質シートにより、前記ブラシ部材が歯牙全体を包み込んで密着するように形成されており、
前記上顎用ピースと前記下顎用ピースとを連結する連結部が設けられており、
前記上顎用ピースが前記下顎用ピースの上に、後方から前方に向けて徐々に離間するように配置されて、装着したときに上顎の歯列と下顎の歯列との間に隙間が発生するようになっていることを特徴とするマウスピース型歯ブラシ。
【請求項２】
上顎の歯列を装着する上顎用ピース及び下顎の歯列を装着する下顎用ピースからなるマウスピース型歯ブラシの製造方法であって、
上顎の歯列及び下顎の歯列の印象を採取して上顎用歯型及び下顎用歯型を作成する工程と、
前記作成した上顎用歯型及び下顎用歯型に、ブラシ部材を略馬蹄形に固定した軟質シートを圧接して、前記ブラシ部材が歯牙全体を包み込んで密着するように前記上顎用ピース及び前記下顎用ピースを形成する工程と、
前記上顎用ピース及び前記下顎用ピースを連結部により連結して、装着時に上顎の歯列と下顎の歯列との間に隙間が発生するような配置にする工程とを有することを特徴とするマウスピース型歯ブラシの製造方法。